(57)【特許請求の範囲】
【請求項１】
障子側に設けられた係止部材を係止する調整機能付き受け部材であって、
前記障子が閉められる開口枠に固定される台座プレートと、
その台座プレートに固定され、前記係止部材を係止する係止部材受け部を有する受けプレートとを備え、
前記台座プレートは、
開口枠の表面に接触して、前記開口枠に固定するためのビスが挿入されるビス孔が設けられた開口枠固定部と、
前記開口枠の表面から離れる方向に浮き上がるように開口枠固定部から持ち上げて形成され、前記受けプレートを固定するためのネジ孔が形成された受けプレート固定部とを有する一方、
前記受けプレートは、
前記台座プレートに対する取付け位置を調整するための長孔が形成されていることを特徴とする調整機能付き受け部材。
【請求項２】
請求項１記載の調整機能付き受け部材において、
前記受けプレートに形成された長孔は、見込み方向に対し斜めに交差するように形成されていることを特徴とする調整機能付き受け部材。
【請求項３】
請求項１記載の調整機能付き受け部材において、
障子側に設けられた前記係止部材は、
障子を開口枠に対し施解錠するための施解錠装置のロックピンであり、
前記受けプレートの係止部材受け部は、前記施解錠装置のロックピンを係止することを特徴とする調整機能付き受け部材。
【請求項４】
請求項１記載の調整機能付き受け部材において、
障子側に設けられた前記係止部材は、
障子が負圧によって開かないようにするための負圧用係止部材であり、
前記受けプレートの係止部材受け部は、前記障子側の負圧用係止部材を係止することを特徴とする調整機能付き受け部材。
【請求項５】
請求項1〜請求項４のいずれか一の請求項に記載の調整機能付き受け部材を、戸先側と吊元側の少なくとも一方に備えたことを特徴とする開き窓。
【発明の詳細な説明】
【技術分野】
【０００１】
本発明は、開口枠に対し開閉可能に取付けられた片開き窓、たてすべり出し窓や片開きドアの障子における錠受け部材や負圧受け部材等の調整機能付き受け部材、およびそれを備えた開き窓に関する。
【背景技術】
【０００２】
開き窓の開口枠側には、障子側に設けられた錠装置の締まり金具やラッチ（以下、ロックピンと総称する。）を係止する受け部材が設けられている（例えば、特許文献１，２参照。）。
【０００３】
ところで、これらの受け部材を、開口枠の縦枠等にビス止めする場合、そのビスを通して縦枠等から躯体内に雨水等が浸入することを防止する必要がある。
【０００４】
そこで、接着剤が入っているマイクロカプセル等をねじ部に特殊加工して、ねじ自体にシール機能とロック機能を持たせた止水性の高いメック加工がされたメックビス等が使用される。
【先行技術文献】
【特許文献】
【０００５】
【特許文献１】特開平１０−１３１５５８号公報
【特許文献２】特開２００１−５５８５４号公報
【発明の概要】
【発明が解決しようとする課題】
【０００６】
ところで、開口枠の縦枠等に取付けられる受け部材は、障子側の締まり金具やラッチ等の係止部材の取付け位置に応じて微調整が必要な場合があり、このような場合、受け部材や係止部材を固定したビスやネジ等をいったん緩めて締め直す必要が生じる。
【０００７】
しかしながら、上述の特許文献１，２記載の受け部材においてその固定にメックビスを使用した場合、一端固定したメックビスを緩めたり取外すと、シール機能やロック機能が劣化するため、再度新たなメックビスで締め直しが必要となり、コストがかかるという問題がある。
【０００８】
特に、経年変化によって受け部材と係止部材との間にいわゆるガタが生じた場合には、再調整のため、受け部材や係止部材を再度締め直す必要がある。
【０００９】
また、誤って旧のメックビスを使用すると、躯体内に雨水等が侵入する虞がある。
【００１０】
そこで、本発明はこのような問題点に着目してなされたもので、受け部材を開口枠に固定していたビスやネジ等はそのままでこの受け部材と障子側に設けられた係止部材との間隔を調整することができる調整機能付き受け部材および開き窓を提供することを目的とする。
【課題を解決するための手段】
【００１１】
前記課題を解決するため、本発明に係る調整機能付き受け部材は、障子側に設けられた係止部材を係止する調整機能付き受け部材であって、前記障子が閉められる開口枠に固定される台座プレートと、その台座プレートに固定され、前記係止部材を係止する係止部材受け部を有する受けプレートとを備え、前記台座プレートは、開口枠の表面に接触して、前記開口枠に固定するためのビスが挿入されるビス孔が設けられた開口枠固定部と、前記開口枠の表面から離れる方向に浮き上がるように開口枠固定部から持ち上げて形成され、前記受けプレートを固定するためのネジ孔が形成された受けプレート固定部とを有する一方、前記受けプレートは、前記台座プレートに対する取付け位置を調整するための長孔が形成されていることを特徴とする。
ここで、前記受けプレートに形成された長孔は、見込み方向に対し斜めに交差するように形成されていると良い。
また、障子側に設けられた前記係止部材は、障子を開口枠に対し施解錠するための施解錠装置のロックピンであり、前記受けプレートの係止部材受け部は、前記施解錠装置のロックピンを係止するように構成すると良い。
また、障子側に設けられた前記係止部材は、障子が負圧によって開かないようにするための負圧用係止部材であり、前記受けプレートの係止部材受け部は、前記障子側の負圧用係止部材を係止するように構成しても良い。
また、本発明に係る開き窓は、上述のいずれかの調整機能付き受け部材を、戸先側と吊元側の少なくとも一方に備えたことを特徴とする。
【発明の効果】
【００１２】
本発明に係る調整機能付き受け部材によれば、台座プレートと、その台座プレートに固定され、障子側に設けられた係止部材を係止する錠受け部を有する受けプレートとを備え、台座プレートは、開口枠固定部とその開口枠固定部から持ち上げて形成された受けプレート固定部とを備え、受けプレートには台座プレートに対する取付け位置を調整するための長孔が形成されているため、受け部材を開口枠に固定していたビスやネジ等はそのままでこの受け部材と障子側に設けられた係止部材との間隔を調整することができる。
また、調整機能付き受け部材を開き窓の戸先側と吊元側の少なくとも一方に設けることで、負圧等により障子を室外側方向に移動させる外力に対して、強固な開き窓を提供することができる。
【図面の簡単な説明】
【００１３】
【図１】本発明に係る調整機能付き受け部材の実施形態１，２である錠受け部材および負圧受け部材を取付ける開口枠と障子の内観を示す正面図である。
【図２】図１におけるＡ−Ａ線断面を示す断面拡大図である。
【図３】図１におけるＢ−Ｂ線断面を示す断面拡大図である。
【図４】（ａ），（ｂ）それぞれ本発明の実施形態１である錠受け部材の構成を示す正面図、右側面図である。
【図５】（ａ）〜（ｃ）それぞれ錠受け部材を構成する台座プレートの正面図、平面図、右側面図である。
【図６】錠受け部材を構成する錠受けプレートの斜視図である。
【図７】（ａ）〜（ｃ）それぞれ錠受け部材を構成する錠受けプレートの正面図、平面図、右側面図である。
【図８】（ａ），（ｂ）それぞれ錠受け部材において錠受けプレートを室内側に最大限移動して固定した状態を示す平面図、正面図である。
【図９】（ａ），（ｂ）それぞれ錠受け部材において錠受けプレートを中立位置に固定した状態を示す平面図、正面図である。
【図１０】（ａ），（ｂ）それぞれ錠受け部材において錠受けプレートを室外側に最大限移動して固定した状態を示す平面図、正面図である。
【図１１】（ａ），（ｂ）それぞれ本発明の実施形態２である負圧受け部材の構成を示す正面図、右側面図である。
【図１２】負圧受け部材を構成する負圧受けプレートの斜視図である。
【図１３】（ａ）〜（ｃ）それぞれ負圧受け部材を構成する負圧受けプレートの正面図、平面図、左側面図である。
【図１４】（ａ），（ｂ）それぞれ負圧受け部材において負圧受けプレートを室内側に最大限移動して固定した状態を示す平面図、正面図である。
【図１５】（ａ），（ｂ）それぞれ負圧受け部材において負圧受けプレートを中立位置に固定した状態を示す平面図、正面図である。
【図１６】（ａ），（ｂ）それぞれ負圧受け部材において負圧受けプレートを室外側に最大限移動して固定した状態を示す平面図、正面図である。
【発明を実施するための形態】
【００１４】
以下、本発明に係る調整機能付き受け部材の実施形態１である錠受け部材１と実施形態２である負圧受け部材２とそれらを備えた開き窓について、図面を参照して説明する。尚、以下に説明する錠受け部材１および負圧受け部材２は、あくまで本発明の一例であり、本発明が下記に説明する実施形態に限定されるものではなく、本発明の技術的思想の範囲内で適宜変更可能である。例えば、本発明では、錠受け部材１または負圧受け部材２のいずれか一方に、本発明に係る調整機能付き受け部材を採用するようにしても良い。また、調整機能付き受け部材は、横軸で回転する窓のみに設けるものではなく、縦軸で回転する窓（縦軸回転窓、すべり出し窓等）に設けることもできる。
【００１５】
図１に示すように、本発明に係る調整機能付き受け部材の実施形態１である錠受け部材１と実施形態２である負圧受け部材２は、それぞれ、片開き窓、たてすべり出し窓や片開きドアの障子（扉ともいう。）４が開閉可能に取付けられる開口枠３に取付けるもので、錠受け部材１は図２に示すようにロックピン５に対向して設けられる一方、負圧受け部材２は図３に示すように負圧用係止部材６に対向して設けられる。
【００１６】
［実施形態１である錠受け部材１の構成と作用］
まず、本発明に係る調整機能付き受け部材の実施形態１である錠受け部材１の構成および作用から説明する。
【００１７】
実施形態１である錠受け部材１は、図１および図２に示すように、障子４が閉められる開口枠３の戸先側縦枠３１に固定されるもので、図２や図４（ａ），（ｂ）等に示すように、開口枠３の戸先側縦枠３１に固定される台座プレート１１と、その台座プレート１１上に固定される錠受けプレート１２と、錠受けプレート１２を台座プレート１１に固定するための固定ビス１３とを備えて構成される。
【００１８】
尚、図２において、符号７１は、障子４先端の縦框４１に設けられた、往復動変換装置（図示せず。）の往復動を施解錠装置（図示せず。）に伝達するためその縦框４１の長手方向（上下方向）に沿って往復動（スライド）を行うスライド部材である。
【００１９】
台座プレート１１は、図５（ａ）〜（ｃ）に示すように、その両側に開口枠３の戸先側縦枠３１の表面に接触して、開口枠３に固定するためのメックビス１４が挿入されるビス孔１１ａ１が設けられた一対の開口枠固定部１１ａ,１１ａと、開口枠３の表面から離れる方向に浮き上がるように両側の開口枠固定部１１ａ,１１ａから持ち上げて形成され、錠受けプレート１２を固定するためのネジ孔（タップ孔）１１ｂ１，１１ｂ１が形成された受けプレート固定部１１ｂとを有する。
【００２０】
受けプレート固定部１１ｂの中央には、後述する錠受けプレート１２の折曲げ下端部が当接または干渉しないように開口部１１ｂ２が設けられている。
【００２１】
錠受けプレート１２は、図６や図７（ａ）〜（ｃ）等に示すように錠係止部材受け部１２ａと、その錠係止部材受け部１２ａが先端に設けられた錠受けベース部１２ｂとから構成される。
【００２２】
錠係止部材受け部１２ａは、障子４側の施解錠装置（図示せず。）の係止部材であるロックピン５を係止する部分である。
【００２３】
なお、ロックピン５はスライド部材７１に取付けられており、縦框４１の長手方向を上下にスライドする。
【００２４】
錠受けベース部１２ｂは、図６や図７（ａ）〜（ｃ）等に示すようにその両端に台座プレート１１に対する見込み方向Ｘおよび見付け方向Ｙの取付け位置を調整するための長孔１２ｂ１，１２ｂ１が形成されている。
【００２５】
ここで、見込み方向Ｘとは室内から室外またはその逆の方向で、図１では紙面の表裏方向で、図２および図３では紙面の上下方向、図７（ａ）では紙面の左右方向である。また、見付け方向Ｙとは見込み方向Ｘに直交する上下方向で、図１と図７（ａ）では紙面の上下方向で、図２および図３では紙面の表裏方向である。
【００２６】
そして、錠受けプレート１２の錠受けベース部１２ｂに形成する長孔１２ｂ１，１２ｂ１は、図７（ａ）等に示すように、見込み方向Ｘに対し斜めに交差するように形成されている。
【００２７】
また、固定ビス１３は、図４（ｂ）等に示すように、頭部１３ａと、軸部１３ｂとからなり、軸部１３ａの長さＨは、錠受けプレート１２の厚さｈ１と、台座プレート１１の受けプレート固定部１１ｂの表面から開口枠固定部１１ａの裏面までの長さｈ２とを加算した値以下として、固定ビス１３の軸部１３ｂ先端（下端）が、開口枠３の戸先側縦枠３１の表面に当接しないようにしている。
【００２８】
次に、このように構成された実施の形態１の調整機能付き受け部材である錠受け部材１の作用について説明する。
【００２９】
図８（ａ），（ｂ）は、固定ビス１３，１３が錠受けプレート１２の長孔１２ｂ１，１２ｂ１の先端側、すなわち見込み方向Ｘにおける室外側方向Ｘ２に挿入されて、錠受けプレート１２が台座プレート１１に固定された状態を示している。この場合、錠受けプレート１２は、台座プレート１１に対し見込み方向Ｘにおける室内側方向Ｘ１の最も室内側寄りに位置すると共に、見付け方向Ｙにおける上方向Ｙ１の最も上寄りに位置することになる。
【００３０】
図９（ａ），（ｂ）は、固定ビス１３，１３が長孔１２ｂ１，１２ｂ１の中央に挿入されて、錠受けプレート１２が台座プレート１１に固定された状態を示している。この場合、錠受けプレート１２は、図８（ａ），（ｂ）に示す場合よりも、台座プレート１１に対し見込み方向Ｘにおける室外側方向Ｘ２に移動すると共に、見付け方向Ｙにおける下方向Ｙ２に移動したことになる。
【００３１】
なお、錠受け部材１を開口枠３に取付ける際、錠受けプレート１２はこの位置を基準に台座プレート１１に固定されている。
【００３２】
図１０（ａ），（ｂ）は、固定ビス１３，１３が錠受けプレート１２の長孔１２ｂ１，１２ｂ１の後端側、すなわち見込み方向Ｘにおける室内側方向Ｘ１に挿入されて、錠受けプレート１２が台座プレート１１に固定された状態を示している。この場合、錠受けプレート１２は、図９（ａ），（ｂ）に示す場合よりもさらに台座プレート１１に対し見込み方向Ｘにおける室外側方向Ｘ２の最も室外側寄りに移動すると共に、見付け方向Ｙにおける下方向Ｙ２の最も下寄りに移動したことになる。
【００３３】
尚、図８〜図１０に示すように、台座プレート１１に対する錠受けプレート１２の見込み方向Ｘおよび見付け方向Ｙにおける固定位置を変更しても、台座プレート１１を開口枠３の戸先側縦枠３１に固定するメックビス１４はそのままで変わらず、締め直し等も行われない。
【００３４】
従って、本発明に係る調整機能付き受け部材の実施形態１である錠受け部材１によれば、図８〜図１０に示すように、台座プレート１１を開口枠３の戸先側縦枠３１に固定するメックビス１４はそのままで、錠受けプレート１２の長孔１２ｂ１，１２ｂ１における固定ビス１３，１３の固定位置を変更することにより、錠受けプレート１２の錠係止部材受け部１２ａと障子４側のロックピン５との間隔を調整することができる。
【００３５】
その結果、この錠受け部材１では、錠受けプレート１２の錠係止部材受け部１２ａと障子４側のロックピン５との間隔を調整する際に、メックビス１４を緩めたり、再度新たなメックビス１４で締め直す必要がなくなり、コストの増大を防止できると共に、躯体内に雨水等が侵入する虞がない。
【００３６】
また、実施形態１の錠受け部材１では、図８（ｂ）〜図１０（ｂ）等に示すように、錠受けプレート１２の錠受けベース部１２ｂに形成した長孔１２ｂ１，１２ｂ１は、見込み方向Ｘに対し斜めに交差するように形成しているため、障子４側のロックピン５が係止した際、係止部材から受ける見込み方向の外力（負圧等により、障子を室外側方向Ｘ２に移動させようとする力）に対しては、固定ビス１３，１３の頭部１３ａ，１３ａ裏面の摩擦力だけではなく、長孔１２ｂ１，１２ｂ１内周の縁部が当接してその外力を受けることが可能となる。
【００３７】
その結果、この錠受け部材１では、障子４側のロックピン５からの外力を、固定ビス１３，１３の頭部１３ａ，１３ａ裏面と、長孔１２ｂ１，１２ｂ１内周の縁部とで分散して受けることが可能になるので、錠受けプレート１２が台座プレート１１に対しずれ難くなり、長期に亘って製品品質を安定化させることができる。
【００３８】
［実施形態２である負圧受け部材２の構成と作用］
次に、本発明に係る調整機能付き受け部材の実施形態２である負圧受け部材２の構成および作用を説明する。
【００３９】
本発明の実施形態２である負圧受け部材２は、図１および図３に示すように、開口枠３の吊元側縦枠３２に固定されて、障子４の吊元側縦框４２に設けられた負圧用係止部材６を係止するもので、図３や図１１（ａ），（ｂ）等に示すように、開口枠３の戸先側縦枠３１に固定される台座プレート１１と、その台座プレート１１上に固定される負圧受けプレート２２と、負圧受けプレート２２を台座プレート１１に固定するための固定ビス１３，１３とを備えて構成される。なお、負圧受け部材２の台座プレート１１および固定ビス１３，１３は、それぞれ、錠受け部材１の台座プレート１１および固定ビス１３，１３と同じものであるので、詳細な説明は省略する。
【００４０】
負圧受けプレート２２は、図１２や図１３（ａ）〜（ｃ）等に示すように負圧係止部材受け部２２ａと、その負圧係止部材受け部２２ａが先端に設けられた負圧受けベース部２２ｂとから構成される。
【００４１】
負圧係止部材受け部２２ａは、障子４側の負圧用係止部材６（図３参照。）を係止する部分である。
【００４２】
負圧受けベース部２２ｂは、図１２や図１３（ａ）〜（ｃ）等に示すようにその両端に台座プレート１１に対する見込み方向Ｘおよび見付け方向Ｙの取付け位置を調整するための長孔２２ｂ１，２２ｂ１が形成されており、この長孔２２ｂ１，２２ｂ１は見込み方向Ｘに対し斜めに交差するように形成されている。
【００４３】
次に、このように構成された実施の形態２の調整機能付き受け部材である負圧受け部材２の作用について説明する。
【００４４】
図１４（ａ），（ｂ）は、固定ビス１３，１３が負圧受けプレート２２の長孔２２ｂ１，２２ｂ１の先端側、すなわち見込み方向Ｘにおける室外側方向Ｘ２に挿入されて、負圧受けプレート２２が台座プレート１１に固定された状態を示している。この場合、負圧受けプレート２２は、台座プレート１１に対し見込み方向Ｘにおける室内側方向Ｘ１（図１４において右方向）の最も室内側寄りに位置すると共に、見付け方向Ｙにおける上方向Ｙ１の最も上寄りに位置することになる。
【００４５】
図１５（ａ），（ｂ）は、固定ビス１３，１３が長孔２２ｂ１，２２ｂ１の中央に挿入されて、負圧受けプレート２２が台座プレート１１に固定された状態を示している。この場合、負圧受けプレート２２は、図１４（ａ），（ｂ）に示す場合よりも、台座プレート１１に対し見込み方向Ｘにおける室外側方向Ｘ２（図１４，１５において左方向）に位置すると共に、見付け方向Ｙにおける下方向Ｙ２に位置することになる。
【００４６】
なお、負圧受け部材２を開口枠３に取付ける際、負圧受けプレート２２はこの位置を基準に台座プレート１１に固定されている。
【００４７】
図１６（ａ），（ｂ）は、固定ビス１３，１３が負圧受けプレート２２の長孔２２ｂ１，２２ｂ１の後端側、すなわち見込み方向Ｘにおける室内側方向Ｘ１に挿入されて、負圧受けプレート２２が台座プレート１１に固定された状態を示している。この場合、負圧受けプレート２２は、図１５（ａ），（ｂ）に示す場合よりも、台座プレート１１に対し見込み方向Ｘにおける室外側方向Ｘ２（図１５，１６において左方向）の最も室外側寄りに位置すると共に、見付け方向Ｙにおける下方向Ｙ２の最も下寄りに位置することになる。
【００４８】
尚、図１４〜図１６に示すように、台座プレート１１に対する負圧受けプレート２２の見込み方向Ｘおよび見付け方向Ｙにおける固定位置を変更しても、台座プレート１１を開口枠３の吊元側縦枠３２に固定するメックビス１４はそのままで変わらず、締め直し等も行われない。
【００４９】
従って、本発明に係る調整機能付き受け部材の実施形態２である負圧受け部材２によれば、図１４〜図１６に示すように、台座プレート１１を開口枠３の吊元側縦枠３２に固定するメックビス１４はそのままで、負圧受けプレート２２の長孔２２ｂ１，２２ｂ１における固定ビス１３，１３の固定位置を変更することにより、負圧受けプレート２２の負圧係止部材受け部２２ａと障子４側に設けられた負圧用係止部材６との間隔を調整することができる。
【００５０】
その結果、この負圧受け部材２では、負圧受けプレート２２の負圧係止部材受け部２２ａと障子４側に設けられた負圧用係止部材６との間隔を調整する際に、メックビス１４を緩めたり、再度新たなメックビス１４で締め直す必要がなくなり、コストの増大を防止できると共に、躯体内に雨水等が侵入する虞がない。
【００５１】
また、実施形態２の負圧受け部材２では、図１４（ｂ）〜図１６（ｂ）等に示すように、負圧受けプレート２２の負圧受けベース部２２ｂに形成した長孔２２ｂ１，２２ｂ１は、見込み方向Ｘに対し斜めに交差するように形成しているため、障子４側の負圧用係止部材６が係止した際、負圧用係止部材６から受ける見込み方向の外力（障子を室外側方向Ｘ２に移動させようとする力）に対しては、固定ビス１３，１３の頭部１３ａ，１３ａの裏面の摩擦力だけではなく、負圧受けベース部２２ｂに形成した長孔２２ｂ１，２２ｂ１内周の縁部が当接してその外力を受けることが可能となる。
【００５２】
その結果、この負圧受け部材２では、障子４側の負圧用係止部材６からの外力を、固定ビス１３，１３の頭部１３ａ，１３ａ裏面と、長孔２２ｂ１，２２ｂ１内周の縁部とで分散して受けることが可能になるので、負圧受けプレート２２が台座プレート１１に対しずれ難くなり、長期に亘って製品品質を安定化させることができる。
【００５３】
尚、上記の説明では、錠受けプレート１２に設けた長孔１２ｂ１，１２ｂ１および負圧受けプレート２２に設けた長孔２２ｂ１，２２ｂ１は、見込み方向に対し斜めに交差するように形成したが、本発明では、これに限らず、見込み方向と平行に延びるように形成しても勿論良い。
【符号の説明】
【００５４】
１  錠受け部材（調整機能付き受け部材）
１１  台座プレート
１１ａ  開口枠固定部
１１ａ１  ビス孔
１１ｂ  受けプレート固定部
１１ｂ１  ネジ孔
１２  錠受けプレート
１２ａ  錠係止部材受け部（係止部材受け部）
１２ｂ  錠受けベース部
１２ｂ１  長孔
１３  固定ビス
２  負圧受け部材（調整機能付き受け部材）
２２  負圧受けプレート
２２ａ  負圧係止部材受け部（係止部材受け部）
２２ｂ  負圧受けベース部
２２ｂ１  長孔
３  開口枠
３１  戸先側縦枠
３２  吊元側縦枠
４  障子
４１  戸先側縦框
４２  吊元側縦框
５  ロックピン（係止部材）
６  負圧用係止部材
【図１】
0006403543.tif 000002
【図２】
0006403543.tif 000003
【図３】
0006403543.tif 000004
【図４】
0006403543.tif 000005
【図５】
0006403543.tif 000006
【図６】
0006403543.tif 000007
【図７】
0006403543.tif 000008
【図８】
0006403543.tif 000009
【図９】
0006403543.tif 000010
【図１０】
0006403543.tif 000011
【図１１】
0006403543.tif 000012
【図１２】
0006403543.tif 000013
【図１３】
0006403543.tif 000014
【図１４】
0006403543.tif 000015
【図１５】
0006403543.tif 000016
【図１６】
0006403543.tif 000017